(57)【要約】【課題】ＯＦケーブルからの漏油が発生した際に、容易に漏油穴を閉塞し、漏油圧を低減することによって、漏油の拡大を防止することが可能な、ＯＦケーブル補修装置及び補修方法を提供する。【解決手段】  ＯＦケーブル補修装置１は、長方形状のマット状の伸縮式吸着マット２と、閉塞鋲３を備える。漏油穴１０１の形状に適した閉塞鋲３を選び、その閉塞鋲３のピン部３１を伸縮式吸着マット２の挿通孔２５に挿入して、伸縮式吸着マット２のシール部２１１が、曲げ部２１ｃで折りたたんで重ね合わされた状態として、閉塞鋲３を固定する。そして、閉塞鋲３のピン部３１を漏油穴１０１に押し込んで、伸縮式吸着マット２を引っ張りながらＯＦケーブル１００に巻きつける。これにより、漏油Ｏを確実に防止することができる。【選択図】  図１
2016119826.tif 000002
【特許請求の範囲】
【請求項１】
内部に油が注入されたＯＦケーブルの外周面に形成された漏油穴を補修するためのＯＦケーブル補修装置であって、
漏油を吸い取る長方形状のマットであり、伸縮部を有し、前記伸縮部が伸長された状態で、前記漏油穴を覆うように前記ＯＦケーブルに巻きつけられる伸縮式吸着マットと、前記漏油穴の形状と大きさに適した形状と大きさの差込部を有し、前記差込部は、前記漏油穴に差し込まれる閉塞鋲と、
を備えることを特徴とするケーブル補修装置。
【請求項２】
前記伸縮式吸着マットには、前記伸縮部に一体に形成され、折りたたんで重ね合わせた状態で吸着可能なシール部と、前記シール部に前記閉塞鋲を差し込むための挿通孔が形成されている、
ことを特徴とする請求項１記載のＯＦケーブル補修装置。
【請求項３】
前記差込部の外周に、ヒダ部が形成されている、
ことを特徴とする請求項１または２のいずれか１項に記載のＯＦケーブル補修装置。
【請求項４】
内部に油が注入されたＯＦケーブルの外周面に形成された漏油穴を補修するためのＯＦケーブル補修方法であって、
請求項１〜３のいずれか１項に記載のＯＦケーブル補修装置における、前記漏油穴に前記閉塞鋲の前記差込部を押し込み、前記伸縮式吸着マットの前記伸縮部を引っ張りながら、前記ＯＦケーブルに前記漏油穴を覆うように巻き付けて固定する、
ことを特徴とするＯＦケーブル補修方法。
【発明の詳細な説明】
【技術分野】
【０００１】
この発明は、ＯＦケーブルの漏油箇所を補修するためのＯＦケーブル補修装置及び補修方法に関する。
【背景技術】
【０００２】
ＯＦ（Ｏｉｌ−Ｆｉｌｌｅｄ）ケーブルは、絶縁用の油を所定の圧力で内部に注入、充填することで、絶縁性を高めたケーブルであり、油圧を保持している金属被覆が経年劣化によって損傷したり、第三者による工事の際に誤って損傷したりして、漏油が発生する場合がある。このような場合、漏油箇所を含めて所定長さだけＯＦケーブルを切断して、張り替える必要があるが、張り替えには多大な時間と労力とを要するため、張り替え（本補修）に先だって漏油量を極力抑えるために、初期対応として漏油箇所を補修（仮油止め処理）する必要がある。
【０００３】
このような補修としては、一般には漏油穴にテープを巻き付けて補修し、漏油の拡大を防止している。ところが、漏油穴にテープを巻き付けるだけの補修方法では、漏油穴を完全に閉塞することができていないため、漏油圧が高い場合には漏油を完全に止めることができない場合がある。
【０００４】
そこで、漏油穴に接着テープを張り付けた上で、ＯＦケーブルの漏油穴とその近傍に膨張チューブを巻きつけて、膨張チューブを膨らませたときの圧力で漏油を止める補修装置や（例えば、特許文献１参照）、漏油穴に、空気を吸引すると収縮するシートを巻きつけて、空気を吸引したとき収縮力で漏油穴を塞いで、漏油を止める補修装置（例えば、特許文献２参照）が知られている。
【先行技術文献】
【特許文献】
【０００５】
【特許文献１】特開２０１３−７０４５８号公報
【特許文献２】特開２０１３−１２１２６０号公報
【発明の概要】
【発明が解決しようとする課題】
【０００６】
しかしながら、特許文献１、特許文献２の技術は、漏油穴を圧力で押さえつけるものであるので、漏油圧が高い場合には、完全には漏油穴を閉塞することはできず、また、空気を高圧で吸引したり注入したりするための設備も必要となるため、必要時に手軽に使うことが困難であった。
【０００７】
そこでこの発明は、ＯＦケーブルからの漏油が発生した際に、容易に漏油穴を閉塞するとともに、漏油圧を低減することによって、漏油の拡大を防止することが可能な、ＯＦケーブル補修装置及び補修方法を提供することを目的とする。
【課題を解決するための手段】
【０００８】
上記課題を解決するために、請求項１の発明は、内部に油が注入されたＯＦケーブルの外周面に形成された漏油穴を補修するためのＯＦケーブル補修装置であって、漏油を吸い取る長方形状のマットであり、伸縮部を有し、前記伸縮部が伸長された状態で、前記漏油穴を覆うように前記ＯＦケーブルに巻きつけられる伸縮式吸着マットと、前記漏油穴の形状と大きさに適した形状と大きさの差込部を有し、前記差込部は、前記漏油穴に差し込まれる閉塞鋲と、を備えることを特徴とする。
【０００９】
この発明によれば、閉塞鋲により漏油穴が塞がれ、伸縮式吸着マットをケーブルに巻きつけることにより、閉塞鋲が押圧され、漏油穴が閉塞される。
【００１０】
また、請求項２記載の発明は、請求項１記載のＯＦケーブル補修装置あって、前記伸縮式吸着マットには、前記伸縮部に一体に形成され、折りたたんで重ね合わせた状態で吸着可能なシール部と、前記シール部に前記閉塞鋲を差し込むための挿通孔が形成されている、ことを特徴とする。
【００１１】
この発明によれば、閉塞鋲は、挿通孔に差し込まれ、伸縮式吸着マットに取り付けられてから漏油穴に差し込まれ、伸縮式吸着マットをケーブルに巻きつけることにより、押圧され、漏油穴が閉塞される。
【００１２】
また、請求項３記載の発明は、請求項１または２のいずれか１項に記載のＯＦケーブル補修装置あって、前記差込部の外周に、ヒダ部が形成されている、ことを特徴とする。
【００１３】
また、請求項４記載の発明は、内部に油が注入されたＯＦケーブルの外周面に形成された漏油穴を補修するためのＯＦケーブル補修方法であって、請求項１〜３のいずれか１項に記載のＯＦケーブル補修装置における、前記漏油穴に前記閉塞鋲の前記差込部を押し込み、前記伸縮式吸着マットの前記伸縮部を引っ張りながら、前記ＯＦケーブルに前記漏油穴を覆うように巻き付けて固定する、ことを特徴とする。
【発明の効果】
【００１４】
請求項１、４の発明によれば、閉塞鋲によって漏油穴を閉塞することにより、漏油圧を低減し、漏油を止めることができ、伸長した状態で巻き付けられた伸縮式吸着マットによって、ＯＦケーブルを押圧することで、油圧による反動を抑止することができる。これらにより、漏油を確実に防止することができる。
【００１５】
請求項２の発明によれば、差し込まれた閉塞鋲が、挿通孔により固定されるため、より確実に漏油穴を閉塞することができる。
【００１６】
請求項３の発明によれば、閉塞鋲に形成されたヒダ部によって、漏油穴をより確実に閉塞することができる。
【図面の簡単な説明】
【００１７】
【図１】この発明の実施の形態１に係る、ＯＦケーブル補修装置を示す斜視図である。
【図２】この発明の実施の形態１に係る、ＯＦケーブル補修装置を示す側面図である。
【図３】この発明の実施の形態１に係る、閉塞鋲を示す斜視図である。
【図４】この発明の実施の形態１に係る、ＯＦケーブル補修方法の手順を示す工程図であり、（ａ）は漏油したＯＦケーブルを示す概略断面図であり、（ｂ）は閉塞鋲を漏油穴に差し込んだ状態と、伸縮式吸着マットを巻きつける工程を示す概略断面図であり、（ｃ）は、ＯＦケーブル補修装置でＯＦケーブルを補修した状態を示す概略断面図である。
【図５】この発明の実施の形態２に係る、ＯＦケーブル補修装置の閉塞鋲を示す斜視図である。
【図６】この発明の実施の形態２に係る、ＯＦケーブル補修方法の手順を示す工程図であり、（ａ）は漏油したＯＦケーブルと、閉塞鋲を示す正面図であり、（ｂ）はＯＦケーブル補修装置の閉塞鋲を漏油穴に差し込んだ状態示す正面図であり、（ｃ）は、ＯＦケーブル補修装置でＯＦケーブルを補修した状態を示す正面図である。
【発明を実施するための形態】
【００１８】
以下、この発明を図示の実施の形態に基づいて説明する。
【００１９】
（実施の形態１）
先ず、この発明の実施の形態１を、図１〜４に基づいて説明する。
【００２０】
図１は、ＯＦケーブル補修装置１の斜視図である。ＯＦケーブル補修装置１は、伸縮式吸着マット２と、閉塞鋲３から構成されている。ここで、図１は、伸縮式吸着マット２に、閉塞鋲３を取り付ける前の状態を示している。
【００２１】
伸縮式吸着マット２は、漏油Ｏを吸い取る吸着マットであり、主として、長方形状のマット本体２１と、面ファスナ２２、２３、２４と、挿通孔２５を備えている。マット本体２１は、図１、図２に示すように、折りたたんで重ね合わせた状態で吸着可能なシール部２１１と、シール部２１１と一体に形成された伸縮自在な伸縮部２１２とで構成されている。シール部２１１は、油を吸い取る性質を有する素材（例えば、ポリプロピレン繊維など）で構成されており、曲げ部２１ｃで折りたたんで重ね合わせた状態で、重ね合せ面が相互に接着可能となっている。伸縮部２１２は、油を吸い取る性質を有し、伸縮自在な素材（例えば、ポリプロピレン繊維にゴムを織り込んだシート）で構成されている。
【００２２】
伸縮式吸着マット２の長さは、図２に示すように、シール部２１１を折りたたんで重ね合せた状態で、図４（ｃ）に示すように、ＯＦケーブル１００を巻きつけることができる程度に、ＯＦケーブル１００の外周よりも長いものとなる。ここで、伸縮式吸着マット２を、ＯＦケーブル１００に巻き付けた状態における外周側を伸縮式吸着マット２の外周面部２１ａ、内周側を内周面部２１ｂとする。
【００２３】
図１、図２に示すように、内周面部２１ｂの一方の短辺側には、短辺に沿って面ファスナ２２のパイル状面部が配設され、内周面部２１ｂの他方の短辺側には、短辺に沿って面ファスナ２４のフック状面部が配設されている。また、外周面部２１ａの伸縮部２１２のシール部２１１側には、短辺と平行に面ファスナ２３のパイル状面部が配設されている。また、伸縮式吸着マット２のシール部２１１には、閉塞鋲３を挿入する挿通孔２５が形成されている。
【００２４】
挿通孔２５は、図１に示すように、孔部２５ａと、切り込み部２５ｂとを有している。孔部２５ａの径は、閉塞鋲３のピン部３１が確りと嵌るように、ピン部３１の径よりも僅かに小さく設定されている。切り込み部２５ｂは、孔部２５ａから放射状に外方に向かって形成された直線状の切り込みであり、ここでは４本の切り込みが形成されている。この挿通孔２５に閉塞鋲３が挿入されると、挿通孔２５の内周面部が、差し込まれた閉塞鋲３の外周面部と密着するようになっている。
【００２５】
閉塞鋲３は、図１に示すように、ピン部（差込部）３１と、ヒダ部３２と、円板状の頭部３３とを有しており、ポリ塩化ビニル等の耐油性の高いプラスチックまたは鉛のように柔らかく塑性変形しやすい金属で形成されている。
【００２６】
この実施の形態１では、閉塞鋲３は、ＯＦケーブル１００の傷（漏油穴１０１）の形状に応じて、適当なものを選択する。ここで、閉塞鋲３は、図３に斜視図を示したように、円錐式（図３（ａ））の他に、台形式（図３（ｂ））、十字式（図３（ｃ））の３種類があり、円錐式は円形穴に対して使用され、ピン部３１が円錐形状になっており、台形式は矩形穴に対して使用され、ピン部３１が台形状に形成されており、十字式は十字形穴に対して使用され、ピン部３１が十字状に形成されている。
【００２７】
この実施の形態１では、漏油穴１０１は円形穴であり、閉塞鋲３は、円錐式を用いる場合について説明する。
【００２８】
ピン部３１は、円錐の底面の径の長さ（十字式、台形式の場合は底面の辺の長さ）によって複数種類が用意されている。そして、漏油穴１０１に確りと嵌合するように、漏油穴１０１の大きさに応じて、漏油穴１０１より僅かに径が大きいものを使用する。すなわち、閉塞鋲３を漏油穴１０１に押し込んだ際に、閉塞鋲３と漏油穴１０１とが密着することにより、漏油穴１０１を閉塞できる大きさ、形状のものを選ぶ。ヒダ部３２は、ピン部３１の外周沿って形成された突起であり、ピン部３１の長さを略３等分する位置に配設されている。このヒダ部３２は、閉塞鋲３を漏油穴１０１に押し込んだ際に、閉塞鋲３と漏油穴１０１とが密着し、閉塞鋲３の抜け止めとなるように形成されている。
【００２９】
次に、実施の形態１に係る、ＯＦケーブル補修装置１の作用及びＯＦケーブル１００からの漏油Ｏが発生した際の補修方法について、図１〜４に基づいて説明する。
【００３０】
先ず、図４（ａ）に示す様に、ＯＦケーブル１００に漏油Ｏが発生すると、漏油箇所が特定されて、漏油穴１０１の形状と大きさが確認される。そして、漏油穴１０１の大きさと形状に適した閉塞鋲３を使用する。ここでは、漏油穴１０１が円形であるものとする。
【００３１】
そして、図１に示すように、伸縮式吸着マット２の挿通孔２５に、漏油穴１０１の形状にあった円形穴用に円錐式の閉塞鋲３が挿入されて、内周面部２１ｂ側からピン部３１の先端部が突出した状態とする。
【００３２】
そして、図２に示すように、シール部２１１が、曲げ部２１ｃで折りたたんで重ね合わされた状態とし、その重ね合せ面を接着する。このとき、シール部２１１が接着することによって、頭部３３が固定される。
【００３３】
そして、図４（ｂ）に示す様に、ＯＦケーブル１００の漏油穴１０１に、内周面部２１ｂ側から突出しているピン部３１の先端部を、漏油穴１０１の奥まで押し込む。
【００３４】
そして、閉塞鋲３の頭部３３をＯＦケーブル１００の軸芯方向に押圧した状態、すなわち、ピン部３１の先端部を漏油穴１０１の奥まで押し込んだ状態で、伸縮式吸着マット２の他方の短辺側（面ファスナのフック状面部２４側）が、矢印Ａ１の方向に引っ張りながら、ＯＦケーブル１００の周囲を矢印Ａ２の方向に巻きつけて、図４（ｃ）に示すように、伸縮式吸着マット２が伸長した状態でＯＦケーブル１００に巻き付いた状態にする。
【００３５】
そして、伸縮式吸着マット２が重なり合った面ファスナのフック状面部２４と、面ファスナのパイル状面部２２、２３とを係合して、伸長した伸縮式吸着マット２が重なり合った状態で固定する。
【００３６】
最後に、固定した伸縮式吸着マット２の上にテープを巻き付け、より強固に固定する。
【００３７】
このようにして、閉塞鋲３によって、漏油穴１０１が閉塞された状態で、伸長した状態で巻き付けられた伸縮式吸着マット２によって、ＯＦケーブル１００が押圧される。
【００３８】
この実施の形態１によれば、閉塞鋲３によって漏油穴１０１を閉塞することにより、漏油圧を低減し、漏油を止めることができ、伸長した状態で巻き付けられた伸縮式吸着マット２によって、ＯＦケーブル１００を押圧することで、油圧による反動を抑止することができる。これらにより、漏油Ｏを確実に防止することができる。
【００３９】
また、差し込まれた閉塞鋲３が、挿通孔２５により固定されるため、より確実に漏油穴１０１を閉塞することができる。
【００４０】
さらに、閉塞鋲３に形成されたヒダ部３２によって、漏油穴１０１をより確実に閉塞することができる。
【００４１】
（実施の形態２）
次に、この発明の実施の形態２について、図５、６に基づいて説明をする。
【００４２】
ここで、実施の形態２では、漏油穴１０２はひび割れ穴であり、閉塞鋲４が使用される場合について説明する。
【００４３】
閉塞鋲４は、鉛鋲式といわれるものであり、鉛の様な塑性変形しやすい金属、または合成樹脂で形成されている。また、形状は閉塞鋲３のような円板状の頭部３３を持たず、長手方向を有する柱状で、短手方向の断面は、少なくとも一箇所鋭利な端部（差込部）４１を有する形状をしている。図５では、三角柱としたが、Ｔ字型等でもよい。
【００４４】
閉塞鋲４は、漏油穴１０１の様に円状ではなく、線状でひび割れ形状の穴に対して使用する。そして、漏油穴１０２の形状に合わせて、長さを調節したり、形状を変形させたりして使用する。
【００４５】
次に、実施の形態２に係る、ＯＦケーブル補修装置１の作用及びＯＦケーブル１００からの漏油Ｏが発生した際の補修方法について、図６に基づいて説明する。
【００４６】
まず、図６（ａ）に示す様に、ＯＦケーブル１００に漏油Ｏが発生すると、漏油箇所が特定されて、漏油穴１０２の形状が確認される。ここでは、漏油穴１０２がひび割れであるものとする。
【００４７】
閉塞鋲４の長さや形状を、漏油穴１０２に形状や長さに合わせて、切断したり曲げたりして調整をする。
【００４８】
次に、図６（ｂ）の様に、ＯＦケーブル１００の漏油穴１０２に、閉塞鋲４の端部４１を漏油穴１０２の奥まで押し込む。
【００４９】
ここで、図２と同様に、伸縮式吸着マット２を、シール部２１１が、曲げ部２１ｃで折りたたんで重ね合わされた状態とし、その重ね合せ面を接着する。
【００５０】
そして、伸縮式吸着マット２の他方の短辺側（面ファスナのフック状面部２４側）を、矢印Ａ１の方向に引っ張りながら、ＯＦケーブル１００の周囲を矢印Ａ２の方向に巻きつけて、図６（ｃ）に示すように、伸縮式吸着マット２が伸長した状態でＯＦケーブル１００に巻き付いた状態とする。
【００５１】
ここで、実施の形態１における補修方法とは、閉塞鋲４が、伸縮式吸着マット２の挿通孔２５に挿入せずに、漏油穴１０２に直接に押し込まれ、その上で伸縮式吸着マット２を巻きつける点で異なっている。
【００５２】
そして、伸縮式吸着マット２が重なり合った面ファスナのフック状面部２４と、面ファスナのパイル状面部２２、２３とを係合して、伸長した伸縮式吸着マット２が重なり合った状態で固定する。
【００５３】
最後に、固定した伸縮式吸着マット２の上にテープを巻き付けて、より強固に固定する。
【００５４】
この実施の形態２によれば、ひび割れ用の閉塞鋲４は、鉛を含む変形自在な材料で形成されており、ＯＦケーブル１００の漏油穴１０２に押し込まれた際に、その形状に合わせて変形するようになっている。そのため、複雑な形状のひび割れ穴も閉塞することができ、漏油Ｏを確実に防止することができる。
【００５５】
以上、この発明の実施の形態１、２について説明したが、具体的な構成は、上記の実施の形態に限られるものではなく、この発明の要旨を逸脱しない範囲の設計の変更等があっても、この発明に含まれる。
【００５６】
例えば、実施の形態１、２において、伸縮式吸着マット２の挿通孔２５を無くし、シール部２１１に当たる面に面ファスナ２３のパイル状面部を設けることでも、同様の効果を得ることができる。この場合、閉塞鋲３を挿通孔２５に挿入作業と、シール部２１１を、曲げ部２１ｃで折りたたんで重ね合わせた状態として、その重ね合せ面を接着する作業を省略することができるため、より簡便な方法で、漏油Ｏを確実に防止することができる。
【符号の説明】
【００５７】
１              ＯＦケーブル補修装置
２              伸縮式吸着マット
２１１          シール部
２１２          伸縮部
２５            挿通孔
３、４            閉塞鋲
３１            ピン部（差込部）
３２            ヒダ部
４１            端部（差込部）
１００          ＯＦケーブル
１０１、１０２  漏油穴
【図１】
2016119826.tif 000003
【図２】
2016119826.tif 000004
【図３】
2016119826.tif 000005
【図４】
2016119826.tif 000006
【図５】
2016119826.tif 000007
【図６】
2016119826.tif 000008